(57)【特許請求の範囲】
【請求項１】
胴部２の上端部に環状突部３を周設し、かつ頂壁４中央部を貫設させて噴出用ステム５を上方付勢状態で起立するエアゾール缶１と、
上記環状突部３へ嵌着させた周壁１１上端から内向きフランジ１２を介して起立筒１３を起立する基部材１０と、
上記噴出用ステム５上部へ嵌合させたステム嵌合筒２１を頂板２２中央部から垂設し、かつステム嵌合筒２１前面から頂板前半部を上壁とする射出筒２３を前方突設して、該射出筒前部からトリガー２４を垂設すると共に、上記頂板後部を基部材の周壁１１後部へ連結したトリガー付き噴霧部材２０と、
上記基部材の起立筒１３前部とトリガー下部後面との間に、破断可能な薄肉片３１を介して嵌合されたトリガー引寄せ防止部材３０とからなり、
上記基部材１０とトリガー付き噴霧部材２０とトリガー引寄せ防止部材３０とを、左右両側面を開放させて、合成樹脂材で一体成形した
ことを特徴とするエアゾール式噴霧器。
【請求項２】
上記トリガー引寄せ防止部材３０上端を、トリガー後方の射出筒部分下面へ近接させるか、または破断可能な薄肉片３２を介して連結すると共に、トリガー引寄せ防止部材下端面を、基部材の内向きフランジ１２の上面へ近接させるか、または破断可能な薄肉片を介して連結する
ことを特徴とする請求項１記載のエアゾール式噴霧器。
【請求項３】
上記頂板後部を弾性変形自在な板バネ２５を介して基部材の周壁１１後部へ連結した
ことを特徴とする請求項１又は２記載のエアゾール式噴霧器。
【発明の詳細な説明】
【０００１】
【発明の属する技術分野】
本発明は、噴霧をトリガー操作で行うエアゾール式噴霧器に関する。
【０００２】
【従来の技術】
エアゾール式噴霧器は、胴部の頂壁中央部を貫設させて噴出用ステムを上方付勢状態で起立し、かつ該噴出用ステム上部へノズル孔付きの押下げヘッドを嵌合させたものが一般で、押下げヘッドを押し下げるとノズル孔から霧状物等が噴出するようになっている。
【０００３】
【発明が解決しようとする課題】
上記のようなエアゾール式噴霧器では、片手で噴霧操作を行う場合に、押下げヘッドが押し下げにくいという問題があった。
本発明は、トリガーを設けることにより、エアゾール式噴霧器の片手による噴霧操作を容易にすると共に、トリガー引寄せ防止部材を設けることにより、流通経路におけるトリガー引寄せ防止を図る。
【０００４】
【課題を解決するための手段】
第１の手段として、胴部２の上端部に環状突部３を周設し、かつ頂壁４中央部を貫設させて噴出用ステム５を上方付勢状態で起立するエアゾール缶１と、
上記環状突部３へ嵌着させた周壁１１上端から内向きフランジ１２を介して起立筒１３を起立する基部材１０と、
上記噴出用ステム５上部へ嵌合させたステム嵌合筒２１を頂板２２中央部から垂設し、かつステム嵌合筒２１前面から頂板前半部を上壁とする射出筒２３を前方突設して、該射出筒前部からトリガー２４を垂設すると共に、上記頂板後部を基部材の周壁１１後部へ連結したトリガー付き噴霧部材２０と、
上記基部材の起立筒１３前部とトリガー下部後面との間に、破断可能な薄肉片３１を介して嵌合されたトリガー引寄せ防止部材３０とからなり、
上記基部材１０とトリガー付き噴霧部材２０とトリガー引寄せ防止部材３０とを、左右両側面を開放させて、合成樹脂材で一体成形した。
【０００５】
第２の手段として、第１の手段を有すると共に、上記トリガー引寄せ防止部材３０上端を、トリガー後方の射出筒部分下面へ近接させるか、または破断可能な薄肉片３２を介して連結すると共に、トリガー引寄せ防止部材下端面を、基部材の内向きフランジ１２の上面へ近接させるか、または破断可能な薄肉片を介して連結する。
第３の手段として、第１又は第２の手段を有すると共に、上記頂板後部を弾性変形自在な板バネ２５を介して基部材の周壁１１後部へ連結した。
【０００６】
【発明の実施の形態】
以下、本発明に係るエアゾール式噴霧器の実施形態を図面を参照しながら説明する。
１はエアゾール缶で、胴部２の上端部に環状突条３を周設すると共に、胴部上端面を閉塞する頂壁４の外周部を環状突条３に巻き締め、かつ頂壁中央部を貫設させて噴出用ステム５を上方付勢状態で起立する。
【０００７】
１０は基部材で、環状突部３外面へ嵌着させた周壁１１上端に第１内向きフランジ１２を付設し、該フランジ内周から起立筒１３を起立し、さらに、該起立筒上端に第２内向きフランジ１４を付設する。
【０００８】
２０はトリガー付き噴霧部材で、噴出用ステム５上部外面へ嵌合させたステム嵌合筒２１を頂板２２中央部から垂設し、かつステム嵌合筒前面から頂板２２前半部を上壁とする射出筒２３を前方突設して、該射出筒前部からトリガー２４を垂設すると共に、頂板２２後半部を後方湾曲の円弧状に形成して、該円弧状部の下端部を、前方湾曲の円弧状の弾性変形自在な板バネ２５を介して周壁１１後部上端へ連結する。さらに、射出筒２３の前端部内面にノズル２６を嵌合させる。
【０００９】
３０はトリガー引寄せ防止部材で、起立筒１３前部とトリガー２４下部後面との間に、破断可能な薄肉片３１を介して嵌合させる。
さらに、図示例のように、トリガー引寄せ防止部材上端をトリガー後方の射出筒部分下面へ破断可能な薄肉片３２を介して連結すると共に、トリガー引寄せ防止部材下端面を第１内向きフランジ１２の上面へ近接させる。
あるいは図示例に限らず、トリガー引寄せ防止部材上端をトリガー後方の射出筒部分下面へ近接させると共に、トリガー引寄せ防止部材下端面を第１内向きフランジ１２の上面へ破断可能な薄肉片を介して連結することも可能である。
【００１０】
なお、基部材10とトリガー付き噴霧部材20とトリガー引寄せ防止部材30とを左右両側面を開放させて合成樹脂材で一体成形する。
【００１１】
次に本実施形態の作用について説明する。
ノズル２６から霧状物等を噴出させるには、トリガー２４を後方へ引き寄せればよいが、図１乃至図３に示すように、トリガー引寄せ防止部材３０を除去する前の状態では、該部材がトリガー２４と起立筒１３との間に嵌合されているためトリガー引寄せは不能である。
なお、トリガー引寄せ防止部材３０の除去前において、トリガー２４を後方へ引き寄せると、トリガー引寄せ防止部材の下部後面は起立筒１３前面に、かつ下端面は第１内向きフランジ１２上面に、それぞれ接触する。
【００１２】
トリガー２４の後方への引寄せを可能にするためには、トリガー引寄せ防止部材３０を左右いずれかの方向へ引っ張って薄肉片３１、３２を破断させることによりトリガー２４と起立筒１３との間からトリガー引寄せ防止部材３０を除去すればよい。
除去後、トリガー２４を後方へ引き寄せると、図４に示すように、頂板２２が板バネ２５を前方へ弾性変形させつつ下方へ弾性変形してステム嵌合筒２１を下降させることで噴出用ステム５を押し下げるためノズル２６から霧状物等が噴出する。
【００１３】
噴出後、トリガー２４を解放すると、噴出用ステム５の上方へのバネ力と板バネ２５のバネ力との双方からのバネ力を受けて頂板２２は元の位置に復帰する。
【００１４】
【発明の効果】
本発明は、ステム嵌合筒から突設する射出筒からトリガーを垂設したので、トリガーを引き寄せることで射出筒から霧状物等を噴出させることができ、従って、エアゾール式噴霧器の片手による噴霧操作が容易になる。
また、トリガー引寄せ防止部材を設けたので、流通経路におけるトリガー引寄せ防止が図れると共に、トリガー引寄せによる使用の事実が視認可能になる。
【図面の簡単な説明】
【図１】本発明に係るエアゾール式噴霧器の要部を断面にした側面図。
【図２】同じく、側面図
【図３】同じく、要部の斜視図。
【図４】同じく、作用説明図。
【符号の説明】
１  エアゾール缶
２  胴部
３  環状突部
４  頂壁
５  噴出用ステム
１０  基部材
１１  周壁
１２  内向きフランジ
１３  起立筒
２０  トリガー付き噴霧部材
２１  ステム嵌合筒
２２  頂板
２３  射出筒
２４  トリガー
３０  トリガー引寄せ防止部材
３１、３２  薄肉片
【図１】
0003741352.tif 000002
【図２】
0003741352.tif 000003
【図３】
0003741352.tif 000004
【図４】
0003741352.tif 000005